(57)【要約】被測定無線装置により送信された無線周波（ＲＦ）電力と被測定無線装置により受信されたＲＦ電力の両方を測定するための電力センサは、電力測定及び発生の主要手段（１）から遠隔の別個のアセンブリ（２）に実装される。遠隔アセンブリ（２）のＲＦ電力センサと他の構成要素はＲＦコネクタすなわち被測定無線装置（４）のコネクタで受信と送信両方のＲＦ電力の測定ができるように相互接続される。主要アセンブリと遠隔アセンブリはフレキシブルリンク（３）により接続される。
2005517964.tif 000002
【特許請求の範囲】
【請求項１】
被測定ユニットの少なくとも１つのＲＦコネクタを介して、ＲＦ電力を該被測定ユニットに供給しかつ該被測定ユニットにより送信されたＲＦ電力を測定するＲＦ電力発生及び測定システムであって、
主要部と、
リンクにより前記主要部に接続されかつ前記被測定ユニットの前記ＲＦコネクタに接続可能な遠隔部と、を備え、
前記主要部は、前記リンク、前記遠隔部及び前記ＲＦコネクタを介してＲＦ電力を前記被測定ユニットに供給するＲＦ電力発生手段を含み、
前記遠隔部は前記ＲＦコネクタを介して前記被測定ユニットから受信したＲＦ電力を検出しかつ前記ＲＦコネクタで前記被測定ユニットに供給された前記ＲＦ電力を示すＲＦ電力を検出するセンサ手段を含み、
前記ＲＦ電力発生手段は前記センサ手段の出力に応じて制御され、それにより前記ＲＦコネクタで被測定ユニットに供給されるＲＦ電力が所定の値を有するＲＦ電力発生及び測定システム。
【請求項２】
前記センサ手段は、前記ＲＦコネクタを介して前記被測定ユニットから受信した前記ＲＦ電力を検出する第１のＲＦ電力センサと前記ＲＦコネクタで前記被測定ユニットに供給された前記ＲＦ電力を示すＲＦ電力を検出する第２のＲＦ電力センサと、を備える請求項１記載のシステム。
【請求項３】
前記遠隔部は前記リンクを介して前記ＲＦ電力発生手段から受信したＲＦ電力の所定の一部を前記被測定ユニットにルーティングする手段を含む請求項１または２記載のシステム。
【請求項４】
前記ルーティング手段が電力分配器である請求項３記載のシステム。
【請求項５】
前記ルーティング手段が方向性結合器である請求項３記載のシステム。
【請求項６】
前記遠隔部は第１減衰器を含みかつ前記ルーティング手段は前記ＲＦ電力の所定の一部を前記第１減衰器を介して前記被測定ユニットにルーティングするように構成される請求項３〜５のいずれか一項に記載のシステム。
【請求項７】
前記ルーティング手段は前記ＲＦ電力発生手段から受信した前記ＲＦ電力の別の所定の一部を前記センサ手段にルーティングするように構成される請求項３〜６のいずれか一項に記載のシステム。
【請求項８】
前記遠隔部は第２減衰器を含みかつ前記センサ手段は該第２減衰器を介して前記被測定ユニットからＲＦ電力を受信する請求項１〜５のいずれか一項に記載のシステム。
【請求項９】
前記遠隔部は、前記被測定ユニットの同一コネクタを介してＲＦ電力を、該被測定ユニットに供給しまた該被測定ユニットから受信もする送受切換器を含む請求項１〜８のいずれか一項に記載のシステム。
【請求項１０】
前記主要部は、前記リンクを介して前記センサ手段の出力を受信しかつ前記被測定ユニットにより送信されたＲＦ電力の測定値を得るために該出力を処理する第１電力計測手段を含む請求項１〜９のいずれか一項に記載のシステム。
【請求項１１】
前記主要部は、前記リンクを介して前記センサ手段の出力を受信しかつ前記被測定ユニットに供給されたＲＦ電力の測定値を得るために該出力を処理する第２電力計測手段を含む請求項１〜１０のいずれか一項に記載のシステム。
【請求項１２】
前記第２電力計測手段は前記センサ手段の受信出力に応じて前記ＲＦ電力発生手段を制御するように動作し、それにより前記ＲＦコネクタで前記被測定ユニットに供給された前記ＲＦ電力は前記所定の値を有する請求項１１記載のシステム。
【請求項１３】
前記リンクがフレキシブルリンクである請求項１〜１２のいずれか一項に記載のシステム。
【請求項１４】
添付図面の図３に関してほぼ本明細書に記載されている請求項１記載のシステム。
【発明の詳細な説明】
【技術分野】
【０００１】
本発明は無線周波（ＲＦ）電力の発生及び測定に関する。
【背景技術】
【０００２】
ＲＦ電力を測定する場合、測定が行われる物理点をシステム内で規定する必要がある。これは、空間、導波管あるいは同軸伝送線のいずれを介しても、ＲＦ電力の伝送は損失を免れないからである。ある場所で測定されたＲＦ電力は、伝送損失が既知である限り、別の場所でのＲＦ電力の正確な唯一の基準となる。
【０００３】
従って、ＲＦ電力測定装置は、ＲＦ電力センサを測定用装置から分離させているので、センサを遠隔操作できる。この構成の利点は、ＲＦ電力測定装置の全体が大きくても、ＲＦ電力センサを小さくして被測定ユニットに直に接続できるということである。
【０００４】
図１はこの技術の周知の一例を示す図である。
【０００５】
ＲＦ電力を発生させる場合、出力電力が規定される物理点をシステム内で規定する必要がある。前述のように、ＲＦ電力の伝送は損失を免れない。ある場所での発生ＲＦ電力は、伝送損失が既知である限り、別の場所での発生ＲＦ電力の正確な唯一の基準となる。
【０００６】
従って、既知のＲＦ電力を測定する装置は、時々、遠隔ＲＦ電力センサと併用され、そのセンサを電力測定の分離手段に接続するか、あるいはＲＦ電力発生装置を制御するフィードバックループの一部分を形成してもよい。このようなシステムは、所定の点でのＲＦ電力が遠隔センサと結合デバイスの精度で決定される信号源を提供する。その利点は、ＲＦ電力発生装置の全体が大きくても、電力センサと結合装置を小さくして被測定ユニットに直に接続できるということである。
【０００７】
図２はこの技術の周知の一例を示す図である。
【発明の開示】
【発明が解決しようとする課題】
【０００８】
無線通信装置は、送信及び受信用の単一のＲＦコネクタか、または送信用ＲＦコネクタとそれとは別の受信用ＲＦコネクタのいずれかを有する場合が多い。そのような装置を特徴づける場合、被測定ユニットによって送信されたＲＦ電力を測定することと被測定ユニットによって受信されたＲＦ電力を設定することの両方が必要である。ＲＦコネクタ又は被測定ユニットのコネクタでの電力の両方を規定するのが普通である。
【課題を解決するための手段】
【０００９】
本発明によれば、ＲＦ電力を供給し、かつ被測定ユニットによって、そのユニットの少なくとも1つのＲＦコネクタを介して送信されたＲＦ電力を測定するＲＦ電力発生及び測定システムが提供され、そのシステムは、主要部と、リンクによって該主要部と接続されかつ被測定ユニットの前記ＲＦコネクタに接続可能な遠隔部とからなり、前記主要部は、前記リンク、前記遠隔部及び前記ＲＦコネクタを介してＲＦ電力を前記被測定ユニットに供給するＲＦ電力発生手段を含み、また前記遠隔部は前記ＲＦコネクタを介して前記被測定ユニットから受信されたＲＦ電力を検出しかつ前記ＲＦコネクタで前記被測定ユニットに供給された前記ＲＦ電力を示すＲＦ電力を検出するセンサ手段を含み、前記ＲＦ電力発生手段は前記センサ手段の出力に応じて制御され、それにより前記ＲＦコネクタで被測定ユニットに供給されるＲＦ電力は所定の値を有する。
【００１０】
本発明の実施例はＲＦコネクタで被測定ユニットによって送信されたＲＦ電力の測定とＲＦコネクタで被測定ユニットによって受信されたＲＦ電力の設定との両方を可能にする。ＲＦコネクタ（単数又は複数）に近接している必要のあるシステム構成要素は小型の遠隔アセンブリに入るように合わせられる。システム構成要素の大部分はさらに大きい主要アセンブリの中に入っており、この部分の場所を自由にできる。システムの２つの部分はリンク、好適にはフレキシブルリンクによって接続される。
【発明を実施するための最良の形態】
【００１１】
本発明によるＲＦ電力発生及び測定システムを示す添付図面の図３を一例として参照して、以下に本発明の特定の実施例を説明する。
【００１２】
図３を参照すると、システムは、ＲＦ電力発生器９及び電力メータ８，１３を有する主要アセンブリ部１と、被測定ユニット４（例えば移動通信端末でもよい）のＲＦコネクタに接続可能な遠隔アセンブリ部２とで構成される。主要アセンブリ部と遠隔アセンブリ部はフレキシブルリンク３によって接続される。ＲＦ電力は、遠隔アセンブリ部２内の送受切換器６によって被測定ユニットに供給され、またそれから受信される。遠隔アセンブリ部２は、減衰器７を介して送受切換器６に接続された第１のＲＦ電力センサ５と、例えば方向性結合器又は電力分配器であり、固定又は設定可能減衰器１２を介して送受切換器６にも接続されているＲＦ結合デバイス１０に接続された第２のＲＦ電力センサ１１とを含む。
【００１３】
被測定ユニット４によって送信されたＲＦ電力は、第１のＲＦ電力センサ５を使用して測定される。送受切換器６は被測定ユニット４によって送信された電力のうちの少なくともいくらかを減衰器７を介して電力センサ５に向ける。減衰器７は、ＲＦ電力センサ５がその測定範囲内でＲＦ電力を受信するように選択される。送受切換器６、減衰器７及び電力センサ５は、被測定ユニット４のＲＦコネクタに密接してそれらを接続できるように遠隔アセンブリ部２内に入るように合わせられる。電力センサ５の電気出力はフレキシブルリンク３を介して主要アセンブリ部１内に入るように合わせられた電力メータ８に接続される。送受切換器６及び減衰器７による伝送損失の特性が示され、被測定ユニット４により送信されたＲＦコネクタにおけるＲＦ電力の測定値を提供するために電力メータ８により使用される。
【００１４】
被測定ユニットが受信する信号は主要アセンブリ部１のＲＦ電力発生器により供給される。その信号はフレキシブルリンク３を通過して結合デバイス１０に入る。結合デバイス１０はＲＦ電力の所定の一部が電力センサ１１に到達できるようにし、また別の所定の一部が減衰器１２と送受切換器６を介して被測定ユニット４のＲＦコネクタに到達できるようにする。結合デバイス１０、減衰器１２及び電力センサ１１は全て遠隔アセンブリ部２内に入るように合わせられて、それらを被測定ユニット４のＲＦコネクタに近接して接続できるようにする。電力センサ１１の電気出力はフレキシブルリンク３を介して主要アセンブリ部１内に入るように合わせられた電力メータ１３に接続される。結合デバイス１０の伝送特性及び減衰器１２と送受切換器６による損失の特性が示され、被測定ユニット４により受信されたＲＦコネクタにおけるＲＦ電力の測定値を提供するために電力メータ８により使用される。電力メータ１３により出された値はフィードバック経路１４を介してＲＦ電力発生器９の出力レベルを補正するのに使用される。
【００１５】
送受切換器６及び結合デバイス１０の特性と減衰器１２の値は、電力センサ１１が被測定ユニット４により送信されたＲＦ電力によって大きく影響されないように選択される。同じように送受切換器６の特性と減衰器７の値は、電力センサ５がＲＦ電力発生器９により送信されたＲＦ電力によって大きく影響されないように選択される。
【００１６】
電力センサ５、１１の１つ又は両方の電気出力は主要アセンブリ部１内に配置された電力メータに必ずしも供給されないということが理解できるであろう。代わりに、これらの出力は主要アセンブリ部１から遠く離れた別個の計測装置に供給されてもよい。
【００１７】
ある代替実現案では、単一の電力センサ手段が、例えば減衰器７と結合デバイス１０の間で切り替えられて電力センサ５と電力センサ１１の機能を実行するのに使用できる。
【図面の簡単な説明】
【００１８】
【図１】図１はこの技術の周知の一例を示す図である。
【図２】図２はこの技術の周知の一例を示す図である。
【図３】図３は本発明によるＲＦ電力発生及び測定システムを示す図である。
【図１】
2005517964.tif 000003
【図２】
2005517964.tif 000004
【図３】
2005517964.tif 000005
【国際調査報告】
2005517964.tif 000006
2005517964.tif 000007
2005517964.tif 000008